(57)【要約】【課題】データ量の制限値を超えた文書ファイルを印刷できるようにする手段を提供する。【解決手段】印刷対象データを生成する携帯端末と、印刷対象データを印刷可能な印刷データに変換する変換サーバと、印刷データを印刷する画像形成装置とを有する印刷システムにおいて、携帯端末は、印刷対象データのデータ量が所定のデータ量より大きい場合、該印刷対象データを画像形成装置の記憶部に記憶させ、変換サーバは、印刷対象データを変換した印刷データの画像形成装置の記憶部における格納場所を表す格納場所情報を画像形成装置から取得し、さらに画像形成装置の記憶部から所定のデータ量以下に分割された印刷対象データを順次取得し、変換後の印刷データを格納場所情報に対応する画像形成装置の記憶部に格納させ、画像形成装置は、変換サーバによる印刷対象データの変換が完了すると、記憶部に蓄積された印刷データに基づいて印刷を実行する。【選択図】        図１
2020052692.tif 000002
【特許請求の範囲】
【請求項１】
印刷対象データを生成する携帯端末と、前記印刷対象データを印刷可能な印刷データに変換する変換サーバと、前記印刷データを印刷する画像形成装置とを有する印刷システムにおいて、
前記携帯端末は、印刷対象データのデータ量が所定のデータ量より大きい場合、該印刷対象データを前記画像形成装置の記憶部に記憶させ、
前記変換サーバは、前記印刷対象データを変換した印刷データの前記画像形成装置の記憶部における格納場所を表す格納場所情報を前記画像形成装置から取得し、さらに前記画像形成装置の記憶部から前記所定のデータ量以下に分割された前記印刷対象データを順次取得し、変換後の印刷データを前記格納場所情報に対応する前記画像形成装置の記憶部に格納させ、
前記画像形成装置は、前記変換サーバによる前記印刷対象データの変換が完了すると、前記記憶部に蓄積された印刷データに基づいて印刷を実行することを特徴とする印刷システム。
【請求項２】
請求項１に記載の印刷システムにおいて、
前記画像形成装置は、前記記憶部に、印刷対象データを格納する印刷対象データ格納部を有し、
前記携帯端末から受信したすべての印刷対象データを前記印刷対象データ格納部に格納することを特徴とする印刷システム。
【請求項３】
請求項２に記載の印刷システムにおいて、
前記変換サーバは、前記携帯端末から前記印刷対象データ格納部を表す印刷対象データ取得場所情報を受信し、前記画像形成装置の前記印刷対象データ格納部に格納された前記印刷対象データを取得することを特徴とする印刷システム。
【請求項４】
請求項１から請求項３のいずれか１項に記載の印刷システムにおいて、
前記変換サーバは、前記印刷対象データの変換が完了したと判定すると、前記画像形成装置へ変換が完了した旨を通知し、
前記画像形成装置は、前記変換サーバから前記完了した旨の通知を受けると、印刷を開始することを特徴とする印刷システム。
【請求項５】
請求項１または請求項２に記載の印刷システムにおいて、
前記画像形成装置は、前記記憶部に格納された前記印刷対象データを前記所定のデータ量以下に分割して前記変換サーバへ送信し、前記変換サーバから変換後の印刷データを受信して前記記憶部に格納して蓄積し、前記印刷対象データの変換が完了したと判定すると、印刷を開始することを特徴とする印刷システム。
【請求項６】
請求項１から請求項５のいずれか１項に記載の印刷システムにおいて、
前記画像形成装置は、前記記憶部に、前記変換サーバによって変換された印刷データを格納する印刷データ格納部を有し、
前記格納場所情報は、前記印刷データ格納部のパス情報であることを特徴とする印刷システム。
【請求項７】
請求項１から請求項６のいずれか１項に記載の印刷システムにおいて、
前記携帯端末と、前記変換サーバおよび前記画像形成装置とは無線通信回線で接続され、前記変換サーバと前記画像形成装置とはインターネット通信回線で接続されていることを特徴とする印刷システム。
【発明の詳細な説明】
【技術分野】
【０００１】
本発明は、携帯端末、クラウドサーバ、および印刷装置を有する印刷システムに関する。
【背景技術】
【０００２】
従来の印刷システムは、クラウドサーバが携帯端末から文書ファイルを受信し、その文書ファイルを印刷装置が印刷可能なデータ形式である印刷データに変換して印刷装置へ送信し、印刷を行うようにしている（例えば、特許文献１参照）。
【先行技術文献】
【特許文献】
【０００３】
【特許文献１】特開２００８−１８１５６４号公報
【発明の概要】
【発明が解決しようとする課題】
【０００４】
しかしながら、従来の技術においては、クラウドサーバが携帯端末から受信する印刷対象データとしての文書ファイルのデータ量に制限がある場合、端末装置は、その制限値を超えたデータ量の文書ファイルをクラウドサーバに送信することができず、当該文書ファイルを印刷することができないという問題がある。
本発明は、このような問題を解決することを課題とし、文書ファイルのデータ量に制限がある場合であっても、データ量の制限値を超えた文書ファイルを印刷できるようにすることを目的とする。
【課題を解決するための手段】
【０００５】
そのため、本発明は、印刷対象データを生成する携帯端末と、前記印刷対象データを印刷可能な印刷データに変換する変換サーバと、前記印刷データを印刷する画像形成装置とを有する印刷システムにおいて、前記携帯端末は、印刷対象データのデータ量が所定のデータ量より大きい場合、該印刷対象データを前記画像形成装置の記憶部に記憶させ、前記変換サーバは、前記印刷対象データを変換した印刷データの前記画像形成装置の記憶部における格納場所を表す格納場所情報を前記画像形成装置から取得し、さらに前記画像形成装置の記憶部から前記所定のデータ量以下に分割された前記印刷対象データを順次取得し、変換後の印刷データを前記格納場所情報に対応する前記画像形成装置の記憶部に格納させ、前記画像形成装置は、前記変換サーバによる前記印刷対象データの変換が完了すると、前記記憶部に蓄積された印刷データに基づいて印刷を実行することを特徴とする。
【発明の効果】
【０００６】
このようにした本発明は、文書ファイルのデータ量に制限がある場合であっても、データ量の制限値を超えた文書ファイルを印刷することができるという効果が得られる。
【図面の簡単な説明】
【０００７】
【図１】第１の実施例における印刷システムの構成を示すブロック図
【図２】第１の実施例における印刷処理の流れを示すフローチャート
【図３】第２の実施例における印刷システムの構成を示すブロック図
【図４】第２の実施例における印刷処理の流れを示すフローチャート
【図５】第３の実施例における印刷システムの構成を示すブロック図
【図６】第３の実施例における印刷処理の流れを示すフローチャート
【発明を実施するための形態】
【０００８】
以下、図面を参照して本発明による印刷システムの実施例を説明する。
【実施例１】
【０００９】
図１は第１の実施例における印刷システムの構成を示すブロック図である。
図１において、印刷システム１は、携帯端末１００と、印刷装置２００と、クラウドサーバ３００とを有し、携帯端末１００と印刷装置２００とが無線ＬＡＮ（Ｌｏｃａｌ  Ａｒｅａ  Ｎｅｔｗｏｒｋ）等の通信回線４１０を介して通信可能に接続され、また携帯端末１００とクラウドサーバ３００とが無線のインターネット通信回線等の通信回線４２０を介して通信可能に接続され、さらに印刷装置２００とクラウドサーバ３００とがインターネット通信回線等の通信回線４３０を介して通信可能に接続されている。
【００１０】
なお、印刷システム１は、複数の携帯端末１００および複数の印刷装置２００が通信可能に接続されていても良い。
携帯端末１００は、例えば表示部や操作部を有するタブレット端末、スマートフォン、または携帯電話等の携帯情報端末であり、ドキュメントファイルや表計算ファイル等の印刷対象データとしての文書ファイル（文書データ）を生成するアプリケーションソフトウェアを搭載し、印刷装置２００またはクラウドサーバ３００に文書ファイルを送信し、クラウドサーバ３００を経由してその文書ファイルを印刷装置２００に印刷させるものである。
【００１１】
携帯端末１００は、無線通信部１１０と、記憶部１２０とを有している。
無線通信部１１０は、通信回線４１０を介して印刷装置２００との間で通信を行い、また通信回線４２０を介してクラウドサーバ３００との間で通信を行うものである。
記憶部１２０は、メモリ等の記憶手段であり、ドキュメントファイルや表計算ファイル等の文書ファイルを生成するアプリケーションソフトウェアや携帯端末１００全体の動作を制御する制御ソフトウェアと制御情報等、およびアプリケーションソフトウェアが生成した文書ファイルを記憶するものである。
【００１２】
また、携帯端末１００は、ＣＰＵ（Ｃｅｎｔｒａｌ  Ｐｒｏｃｅｓｓｉｎｇ  Ｕｎｉｔ）等の制御部を備え、記憶部１２０に記憶された制御ソフトウェアに基づいて制御部により携帯端末１００全体の動作が制御される。
画像形成装置としての印刷装置２００は、外部装置としてのクラウドサーバ３００から印刷データを印刷ジョブとして受信し、その印刷ジョブに基づいて印刷媒体に画像を形成して印刷を行うプリンタ等である。
【００１３】
印刷装置２００は、通信部２１０と、元データ格納部２２０と、印刷ジョブ格納部２３０と、印刷ジョブ展開部２４０と、印刷部２５０とを有している。
また、印刷装置２００は、ＣＰＵ等の制御部を有し、メモリ等の記憶部に記憶された制御ソフトウェアに基づいて制御部により全体の動作が制御される。
【００１４】
通信部２１０は、通信回線４１０を介して携帯端末１００との間で通信を行い、また通信回線４３０を介してクラウドサーバ３００との間で通信を行うものである。
記憶部としての元データ格納部２２０は、携帯端末１００から受信した文書ファイルを元データとして格納するものである。
【００１５】
記憶部としての印刷ジョブ格納部２３０は、元データ格納部２２０に格納された元データ（文書ファイル）がクラウドサーバ３００により印刷装置２００で印刷可能なデータ形式に変換され、変換されたデータを印刷ジョブとして格納し、蓄積するものである。
本実施例では、クラウドサーバ３００が印刷装置２００から受信した元データを印刷ジョブに変換し、印刷装置２００がその印刷ジョブをクラウドサーバから受信して印刷ジョブ格納部２３０に格納し、蓄積する。
【００１６】
印刷ジョブ展開部２４０は、印刷ジョブ格納部２３０に格納、蓄積された印刷ジョブを展開し、印刷部２５０で印刷可能な画像データに変換するものである。
印刷部２５０は、印刷ジョブ展開部２４０で変換された画像データに基づいて印刷媒体に画像を形成して印刷を行うものである。
【００１７】
変換サーバとしてのクラウドサーバ３００は、印刷対象データである元データ（文書ファイル）を印刷可能な印刷データ（印刷ジョブ）に変換するものである。このクラウドサーバ３００は、携帯端末１００および印刷装置２００との間で通信可能なサーバコンピュータであり、データ変換部３１０を有している。
データ変換部３１０は、印刷装置２００から受信した元データを印刷装置２００で印刷可能なデータ形式である印刷データに変換する変換処理を行うものである。
【００１８】
本実施例のデータ変換部３１０は、１回の変換処理で所定のデータ量（例えば、２０Ｍバイト）以下の元データを印刷データに変換することができることができるように制限されており、所定のデータ量以下の元データを１回の変換処理で変換するものとする。なお、元データの全体のデータ量が所定のデータ量を超える場合であっても所定のデータ量以下に分割された元データであればそれぞれの元データを印刷データに変換することができるようになっている。
【００１９】
クラウドサーバ３００は、ＣＰＵ等の制御部を有し、メモリ等の記憶部に記憶された制御ソフトウェアに基づいて制御部により全体の動作が制御される。
また、クラウドサーバ３００は、通信回線４２０を介して携帯端末１００と通信を行い、また通信回線４３０を介して印刷装置２００と通信を行う通信制御部を有している。
【００２０】
本実施例のクラウドサーバ３００は、印刷装置２００から元データ（文書ファイル）を受信し、またデータ変換部３１０で元データを変換して生成した印刷データを印刷ジョブとして印刷装置２００へ送信する。
【００２１】
このように構成された印刷システム１において、携帯端末１００は、印刷対象データとしての文書ファイルのデータ量が所定のデータ量より大きい場合、該文書ファイルを印刷装置２００の元データ格納部２２０に記憶させ、クラウドサーバ３００は、文書ファイルを変換した印刷データの印刷装置２００の記憶部における格納場所を表す格納場所情報を印刷装置２００から取得し、さらに印刷装置２００の元データ格納部２２０から所定のデータ量以下に分割された文書ファイルを順次取得し、変換後の印刷データを格納場所情報に対応する印刷装置２００の記憶部である印刷ジョブ格納部２３０に格納させ、印刷装置２００は、クラウドサーバ３００による文書ファイルの変換が完了すると、印刷ジョブ格納部２３０に蓄積された印刷データに基づいて印刷を実行する。
【００２２】
上述した構成の作用について説明する。
【００２３】
本実施例の印刷システムが行う印刷処理を図２の第１の実施例における印刷処理の流れを示すフローチャートの図中Ｓで表すステップに従って図１を参照しながら説明する。
まず、印刷システム１の携帯端末１００は、アプリケーションソフトウェアによって文書ファイルが生成され、操作者によりその文書ファイルを印刷装置２００で印刷を行う指示を操作部で受け付けるものとする。
【００２４】
Ｓ１：印刷システム１の携帯端末１００は、アプリケーションソフトウェアによって生成された文書ファイル（「元データ」という。）のデータ量が所定のデータ量（本実施例では、２０Ｍバイトとする。）を超えているか否かを判定し、超えていないと判定すると処理Ｓ２へ移行し、超えていると判定すると処理をＳ３へ移行する。
【００２５】
Ｓ２：携帯端末１００は、元データのデータ量が所定のデータ量を超えていないと判定すると、すべての元データを変換する指示を元データとともにクラウドサーバ３００へ通信回線４２０を介して送信し、クラウドサーバ３００は受信した元データを印刷データ（「印刷ジョブ」という。）に変換して印刷装置２００へ送信し、印刷装置２００はクラウドサーバ３００から受信した印刷ジョブに基づき印刷媒体に印刷して本処理を終了する。
【００２６】
Ｓ３：一方、元データのデータ量が所定のデータ量を超えていると判定した携帯端末１００は、すべての元データを印刷装置２００の元データ格納部２２０に格納する指示を元データとともに印刷装置２００へ通信回線４１０を介して送信する。
【００２７】
Ｓ４：印刷装置２００は、携帯端末１００から元データを受信すると、受信した元データを元データ格納部２２０に格納する。印刷装置２００は、携帯端末１００から受信したすべての元データを元データ格納部２２０に格納する。
【００２８】
Ｓ５：印刷装置２００は、元データを格納した元データ格納部２２０の場所情報および元データを変換した印刷ジョブを格納する印刷ジョブ格納部２３０の場所情報を携帯端末１００に送信する。
【００２９】
ここで、元データ格納部２２０の場所情報とは、印刷装置２００における元データ格納部２２０を特定する印刷対象データ取得場所情報であり、元データ格納部２２０の所在を特定するためのパス情報（例えば、印刷装置２００を特定するためのプリンタ名および元データ格納部２２０を特定するためのフォルダ名で構成された「 HYPERLINK "\\\\Printer1\\aaa" \\Printer1\aaa」等）である。
【００３０】
印刷ジョブ格納部２３０の場所情報とは、印刷装置２００における印刷ジョブ格納部２３０を特定する印刷ジョブ格納場所情報であり、印刷ジョブ格納部２３０の所在を特定するためのパス情報（例えば、印刷装置２００を特定するためのプリンタ名および印刷ジョブ格納部２３０を特定するためのフォルダ名で構成された「 HYPERLINK "\\\\Printer1\\bbb" \\Printer1\bbb」等）である。
【００３１】
Ｓ６：携帯端末１００は、印刷装置２００から受信した元データ格納部２２０の場所情報および印刷ジョブ格納部２３０の場所情報を、通信回線４２０を介してクラウドサーバ３００に送信する。
【００３２】
Ｓ７：クラウドサーバ３００は、携帯端末１００から元データ格納部２２０の場所情報および印刷ジョブ格納部２３０の場所情報を受信すると、受信したそれぞれの場所情報に基づいて印刷装置２００の元データ格納部２２０および印刷ジョブ格納部２３０に接続する。
【００３３】
これにより、クラウドサーバ３００は、印刷装置２００の元データ格納部２２０に格納されている元データを読取ることができるようになり、また元データに基づいて変換した印刷ジョブを印刷装置２００の印刷ジョブ格納部２３０に格納させることができるようになる。
【００３４】
Ｓ８：クラウドサーバ３００は、印刷装置２００の元データ格納部２２０の場所情報に基づいて印刷装置２００の元データ格納部２２０に格納されている元データを所定のデータ量を超えないページ単位で取得する。なお、１ページの元データが所定のデータ量を超えてしまう場合、１ページの元データを所定のデータ量を超えないデータ量として分割して取得するものとするが、本実施例では、１ページの元データのデータ量は所定のデータ量を超えないものとして説明する。
【００３５】
Ｓ９：クラウドサーバ３００のデータ変換部３１０は、印刷装置２００から受信した元データをページ単位で印刷装置２００において印刷可能なデータ形式である印刷ジョブに変換する。
【００３６】
Ｓ１０：クラウドサーバ３００は、変換したデータである印刷ジョブを印刷装置２００に送信し、当該印刷ジョブを印刷装置２００の印刷ジョブ格納部２３０に格納させる。
【００３７】
Ｓ１１：印刷装置２００は、クラウドサーバ３００から印刷ジョブを受信すると、印刷ジョブ格納部２３０に格納する。
【００３８】
Ｓ１２：クラウドサーバ３００は、Ｓ８において取得した元データに付加されているページ情報に基づいて全ページに対してデータ変換、即ち印刷ジョブの生成が終了したか否かの判定を行い、終了していないと判定すると処理をＳ８へ戻して元データの変換を継続して行い、一方終了したと判定すると処理をＳ１３へ移行する。
なお、ページ情報は、元データの全ページ数の情報を含んでいる。
【００３９】
Ｓ１３：クラウドサーバ３００は、元データの全ページに対するデータ変換が終了したと判定すると、印刷装置２００に全ページの変換が終了した旨を通知する。
【００４０】
Ｓ１４：印刷装置２００は、クラウドサーバ３００から全ページの変換が終了した旨の通知を受信したか否かの判定を行い、受信したと判定すると、処理をＳ１５へ移行して印刷を行い、受信していないと判定すると本判定処理を継続して行う。
【００４１】
Ｓ１５：クラウドサーバ３００から全ページの変換が終了した旨の通知を受信したと判定した印刷装置２００は、印刷ジョブ格納部２３０に格納されたすべての印刷ジョブを印刷ジョブ展開部２４０において印刷部２５０で印刷可能な画像データに変換し、変換されたすべての画像データを印刷部２５０で印刷し、本処理を終了する。
【００４２】
本実施例では、印刷装置２００は、クラウドサーバ３００から全ページの変換が完了した旨の通知を受けると、印刷を開始する。
【００４３】
このように、本実施例の印刷システム１では、携帯端末１００は、文書ファイル（元データ）のデータ量が所定のデータ量より大きい場合、該文書ファイルを印刷装置２００の元データ格納部２２０に記憶させ、クラウドサーバ３００は、文書ファイルを変換した印刷データの印刷装置２００の記憶部における格納場所を表す格納場所情報を印刷装置２００から取得し、さらに印刷装置２００の元データ格納部２２０から所定のデータ量以下に分割された文書ファイルを順次取得し、変換後の印刷データ（印刷ジョブ）を格納場所情報に対応する印刷装置２００の記憶部である印刷ジョブ格納部２３０に格納させ、印刷装置２００は、クラウドサーバ３００による文書ファイルの変換が完了すると、印刷ジョブ格納部２３０に蓄積された印刷データに基づいて印刷を実行するようにしたことにより、携帯端末１００で生成された文書ファイルが所定のデータ量より大きい場合であっても、その文書ファイルをクラウドサーバ３００で印刷データに変換し、変換した印刷データを印刷装置２００で印刷することができる。
【００４４】
また、携帯端末１００からクラウドサーバ３００に通信回線４２０を介して文書ファイルを送信することがなくなり、インターネット通信回線等の通信回線４２０を介しての通信データ量（パケット量）を減らすことができる。
【００４５】
さらに、クラウドサーバ３００で文書ファイルを保存する必要がなくなり、クラウドサーバ３００の記憶部の容量を節約することができる。
【００４６】
以上説明したように、第１の実施例では、文書ファイルのデータ量が所定のデータ量を超えている場合であっても、その文書ファイルを印刷データに変換して印刷装置で印刷すること、即ち文書ファイルのデータ量に制限がある場合であっても、データ量の制限値を超えた文書ファイルを印刷することができるという効果が得られる。
【００４７】
また、携帯端末とクラウドサーバとの間の通信回線、例えばインターネット通信回線を介して送受信されるデータ量（パケット量）を削減することができるという効果が得られる。
【００４８】
さらに、クラウドサーバの記憶部の記憶容量を削減することができるという効果が得られる。
【実施例２】
【００４９】
第２の実施例の印刷システムは、携帯端末１００と、クラウドサーバ３００とが直接、通信を行わない構成となっている。
【００５０】
その第２の実施例の印刷システムの構成を図３の第２の実施例における印刷システムの構成を示すブロック図に基づいて説明する。
なお、上述した第１の実施例と同様の部分は、同一の符号を付してその説明を省略する。
【００５１】
図３において、印刷システム１は、携帯端末１００と、印刷装置２００と、クラウドサーバ３００とを有し、携帯端末１００と印刷装置２００とが無線ＬＡＮ等の通信回線４１０を介して通信可能に接続され、また印刷装置２００とクラウドサーバ３００とが無線のインターネット通信回線等の通信回線４３０を介して通信可能に接続されている。
【００５２】
なお、本実施例では、携帯端末１００と、クラウドサーバ３００とは通信可能に接続されていなくても良い。
【００５３】
上述した構成の作用について説明する。
【００５４】
本実施例の印刷システムが行う印刷処理を図４の第２の実施例における印刷処理の流れを示すフローチャートの図中Ｓで表すステップに従って図３を参照しながら説明する。
【００５５】
まず、印刷システム１の携帯端末１００は、アプリケーションソフトウェアによって文書ファイルが生成され、操作者によりその文書ファイルを印刷装置２００で印刷を行う指示を操作部で受け付けるものとする。
【００５６】
Ｓ１０１：印刷システム１の携帯端末１００は、アプリケーションソフトウェアによって生成された文書ファイル（「元データ」という。）のデータ量が所定のデータ量（本実施例では、２０Ｍバイトとする。）を超えているか否かを判定し、超えていないと判定すると処理Ｓ１０２へ移行し、超えていると判定すると処理をＳ１０３へ移行する。
【００５７】
Ｓ１０２：図２に示すＳ２における処理と同様なので説明を省略する。
【００５８】
Ｓ１０３：一方、元データのデータ量が所定のデータ量を超えていると判定した携帯端末１００は、すべての元データを印刷装置２００の元データ格納部２２０に格納する指示を元データとともに印刷装置２００へ通信回線４１０を介して送信する。
【００５９】
Ｓ１０４：携帯端末１００は、印刷装置２００へ通信回線４１０を介してクラウドサーバ３００のデータ変換部３１０への接続情報を送信する。
【００６０】
ここで、接続情報とは、クラウドサーバ３００のデータ変換部３１０を特定するための情報であり、本実施例ではクラウドサーバ３００のコンピュータ名およびデータ変換部３１０のパス情報（例えば、クラウドサーバ３００を特定するためのコンピュータ名およびデータ変換部３１０を特定するためのフォルダ名で構成された「 HYPERLINK "\\\\CloudSaver1\\ccc" \\CloudSaver1\ccc」等）である。
【００６１】
Ｓ１０５：印刷装置２００は、携帯端末１００から受信した元データを元データ格納部２２０に格納する。印刷装置２００は、携帯端末１００から受信したすべての元データを元データ格納部２２０に格納する。
【００６２】
Ｓ１０６：印刷装置２００は、携帯端末１００から受信したクラウドサーバ３００のデータ変換部３１０への接続情報に基づいてクラウドサーバ３００に接続する。
【００６３】
Ｓ１０７：印刷装置２００は、元データを変換した印刷データ（「印刷ジョブ」という。）を格納する印刷ジョブ格納部２３０の場所情報を、通信回線４３０を介してクラウドサーバ３００に送信する。
【００６４】
なお、印刷ジョブ格納部２３０の場所情報は、第１の実施例と同様である。
【００６５】
Ｓ１０８：印刷装置２００は、元データ格納部２２０に格納されている元データを所定のデータ量を超えないページ単位でクラウドサーバ３００へ送信する。なお、１ページの元データが所定のデータ量を超えてしまう場合、１ページの元データを所定のデータ量を超えないデータ量として分割して送信するものとするが、本実施例では、１ページの元データのデータ量は所定のデータ量を超えないものとして説明する。
【００６６】
Ｓ１０９：クラウドサーバ３００のデータ変換部３１０は、印刷装置２００から受信した元データをページ単位で印刷装置２００が印刷可能なデータ形式である印刷ジョブに変換する。
【００６７】
Ｓ１１０：クラウドサーバ３００は、印刷ジョブ格納部２３０の場所情報に基づき、変換したデータである印刷ジョブを印刷装置２００に送信し、当該印刷ジョブを印刷装置２００の印刷ジョブ格納部２３０に格納させる。
【００６８】
印刷ジョブを送信したクラウドサーバ３００は、次の元データを受信して変換するため処理をＳ１０９へ戻す。
【００６９】
Ｓ１１１：印刷装置２００は、Ｓ１０５において取得した元データに付加されているページ情報に基づいて全ページに対してデータ変換、即ち印刷ジョブの生成が終了したか否かの判定を行い、終了していないと判定すると処理をＳ１０８へ戻して元データの変換を継続して行い、一方終了したと判定すると処理をＳ１１２へ移行する。
【００７０】
Ｓ１１２：全ページに対してデータ変換が終了したと判定した印刷装置２００は、印刷ジョブ格納部２３０に格納され、蓄積されたすべての印刷ジョブを印刷ジョブ展開部２４０において印刷部２５０で印刷可能な画像データに変換し、変換されたすべての画像データを印刷部２５０で印刷し、本処理を終了する。
【００７１】
本実施例では、印刷装置２００は、全ページの変換が完了したと判定すると、印刷を開始する。
【００７２】
以上説明したように、第２の実施例では、第１の実施例と同様に、文書ファイルのデータ量が所定のデータ量を超えている場合であっても、その文書ファイルを印刷データに変換して印刷装置で印刷すること、即ち文書ファイルのデータ量に制限がある場合であっても、データ量の制限値を超えた文書ファイルを印刷することができるという効果が得られる。
【００７３】
また、携帯端末とクラウドサーバとの間の通信回線、例えばインターネット通信回線を介して送受信されるデータ量（パケット量）を削減することができるという効果が得られる。
さらに、クラウドサーバの記憶部の記憶容量を削減することができるという効果が得られる。
【実施例３】
【００７４】
第３の実施例の印刷システムは、携帯端末１００と、印刷装置２００とが直接、通信を行わない構成となっている。
【００７５】
その第３の実施例の印刷システムの構成を図５の第３の実施例における印刷システムの構成を示すブロック図に基づいて説明する。
なお、上述した第１の実施例と同様の部分は、同一の符号を付してその説明を省略する。
【００７６】
図５において、印刷システム１は、携帯端末１００と、印刷装置２００と、クラウドサーバ３００とを有し、携帯端末１００とクラウドサーバ３００とが無線ＬＡＮ等の通信回線４２０を介して通信可能に接続され、また印刷装置２００とクラウドサーバ３００とが無線のインターネット通信回線等の通信回線４３０を介して通信可能に接続されている。
なお、本実施例では、携帯端末１００と、印刷装置２００とは通信可能に接続されていなくても良い。
【００７７】
また、本実施例では、クラウドサーバ３００が携帯端末１００から受信した元データを印刷ジョブに変換し、印刷装置２００がその印刷ジョブをクラウドサーバから受信して印刷ジョブ格納部２３０に格納し、蓄積する。
【００７８】
上述した構成の作用について説明する。
【００７９】
本実施例の印刷システムが行う印刷処理を図６の第３の実施例における印刷処理の流れを示すフローチャートの図中Ｓで表すステップに従って図５を参照しながら説明する。
【００８０】
まず、印刷システム１の携帯端末１００は、アプリケーションソフトウェアによって文書ファイルが生成され、操作者によりその文書ファイルを印刷装置２００で印刷を行う指示を操作部で受け付けるものとする。
【００８１】
Ｓ２０１：印刷システム１の携帯端末１００は、アプリケーションソフトウェアによって生成された文書ファイル（「元データ」という。）のデータ量が所定のデータ量（本実施例では、２０Ｍバイトとする。）を超えているか否かを判定し、超えていないと判定すると処理Ｓ２０２へ移行し、超えていると判定すると処理をＳ２０３へ移行する。
【００８２】
Ｓ２０２：図２に示すＳ２における処理と同様なので説明を省略する。
【００８３】
Ｓ２０３：一方、元データのデータ量が所定のデータ量を超えていると判定した携帯端末１００は、元データをページ単位で通信回線４２０を介してクラウドサーバ３００へ送信する。
【００８４】
Ｓ２０４：クラウドサーバ３００のデータ変換部３１０は、携帯端末１００から受信した元データをページ単位で印刷装置２００が印刷可能なデータ形式である印刷ジョブに変換する。
【００８５】
Ｓ２０５：クラウドサーバ３００は、変換したデータである印刷ジョブを印刷装置２００に送信し、当該印刷ジョブを印刷装置２００の印刷ジョブ格納部２３０に格納させる。また、クラウドサーバ３００は、変換したデータのページ情報（ページ番号等）を印刷装置２００へ送信する。
【００８６】
Ｓ２０６：印刷装置２００は、クラウドサーバ３００から印刷ジョブを受信すると、印刷ジョブ格納部２３０に格納し、印刷ジョブを蓄積する。
【００８７】
Ｓ２０７：Ｓ２０３において、元データをページ単位でクラウドサーバ３００へ送信した携帯端末１００は、元データのページ情報を、通信回線４２０を介してクラウドサーバ３００へ送信する。
【００８８】
元データのページ情報は、元データのページ番号および当該元データが最終ページであるか否かを表す情報である。
【００８９】
Ｓ２０８：携帯端末１００は、元データの全ページをクラウドサーバ３００へ送信したか否かを判定し、全ページを送信していないと判定すると処理をＳ２０３へ戻し、全ページを送信したと判定すると本処理を終了する。
【００９０】
Ｓ２０９：クラウドサーバ３００は、ページ情報に基づいて全ページに対してデータ変換、即ち印刷ジョブの生成が終了したか否かの判定を行い、終了していないと判定すると元データの変換を継続して行い、一方終了したと判定すると処理をＳ２１０へ移行する。
なお、クラウドサーバ３００は、全ページに対してデータ変換が終了していないと判定すると、Ｓ２０４およびＳ２０５の処理を継続して行う。
【００９１】
Ｓ２１０：クラウドサーバ３００は、全ページに対するデータ変換が終了したと判定すると、印刷装置２００に全ページの変換が終了したことを通知し、本処理を終了する。
【００９２】
Ｓ２１１：印刷装置２００は、クラウドサーバ３００から全ページの変換が終了した旨の通知を受信したか否かの判定を行い、受信したと判定すると、処理をＳ２１２へ移行して印刷を行い、受信していないと判定すると本判定処理を継続して行う。
【００９３】
Ｓ２１２：クラウドサーバ３００から全ページの変換が終了した旨の通知を受信したと判定した印刷装置２００は、印刷ジョブ格納部２３０に格納され、蓄積されたすべての印刷ジョブを印刷ジョブ展開部２４０において印刷部２５０で印刷可能な画像データに変換し、変換されたすべての画像データを印刷部２５０で印刷し、本処理を終了する。
【００９４】
以上説明したように、第３の実施例では、文書ファイルのデータ量が所定のデータ量を超えている場合であっても、その文書ファイルを印刷データに変換して印刷装置で印刷することができるという効果が得られる。
第１の実施例から第３の実施例では、印刷装置をプリンタとして説明したが、それに限られることなく、複写機、ファクシミリ装置、複合機（ＭＦＰ）等としても良い。
【符号の説明】
【００９５】
１    印刷システム
１００  携帯端末
１１０  無線通信部
１２０  記憶部
２００  印刷装置
２１０  通信部
２２０  元データ格納部
２３０  印刷ジョブ格納部
２４０  印刷ジョブ展開部
２５０  印刷部
３００  クラウドサーバ
３１０  データ変換部
４１０、４２０、４３０  通信回線
【図１】
2020052692.tif 000003
【図２】
2020052692.tif 000004
【図３】
2020052692.tif 000005
【図４】
2020052692.tif 000006
【図５】
2020052692.tif 000007
【図６】
2020052692.tif 000008